(57)【要約】【課題】着脱が容易で且つ防水性が高く、長期間の使用にも塑性変形し難いノージッパーウエットスーツを提案し、襟首を介しての出入りを行う開口部を従来に無い新しい構造に改良する。【解決手段】ウエットスーツの着脱の際に身体の出し入れがスムーズに行えるようにするために、開口部を形成する肩部分の生地の縫着の仕方に工夫を凝らし、開口部（10）を肩部分の生地を上面視でらせん状に巻き込みながら縫着して形成した。また、脱着時における開口部（10）の伸縮性をさらに高めるために、前記肩部分の生地上の襟首部周囲に、波状又は凸凹状の波状襟ステッチ（6）で開口襟（7）を縫着して開口部（10）を形成した。【選択図】図１
0003123611.tif 000002
【実用新案登録請求の範囲】
【請求項１】
首部分の開口部（10）から脱着するウエットスーツであって、前記開口部（10）は肩部分の生地を上面視でらせん状に巻き込みながら縫着して形成したことを特徴とするウエットスーツ。
【請求項２】
前記肩部分の生地は、複数の生地を縫合したことを特徴とする請求項１に記載のウエットスーツ。
【請求項３】
前記複数の生地は、左肩外生地（1）、右肩生地（2）、左肩内生地（3）の三つのパーツ生地からなり、左肩外生地（1）と右肩生地（2）とが縫合され、右肩生地（2）と左肩内生地（3）とが縫合されて、これらの三つの生地を上面視でらせん状に巻き込みながら縫着して開口部（10）を形成したことを特徴とする請求項１〜請求項２いずれかに記載のウエットスーツ。
【請求項４】
前記肩部分の生地上の襟首部周囲に、開口襟（7）を波状又は凸凹状にステッチ縫着して開口部（10）を形成したことを特徴とする請求項１〜請求項３いずれかに記載のウエットスーツ。
【請求項５】
前記ウエットスーツの背面に、頭部を挿通して開口部（10）を密着する首挿通口（22）を有する襟カバー（21）を設け、装着時に前記開口部（10）周囲を前記襟カバー（21）で被冠密着することを特徴とする請求項１〜請求項４いずれかに記載のウエットスーツ。
【請求項６】
前記襟カバー（21）の先端に止め具（23）を設けると共に、ウエットスーツの胸部前面に止め具（24）を設けて、装着時に前記開口部（10）周囲を前記襟カバー（21）で被冠密着することを特徴とする請求項１〜請求項５いずれかに記載のウエットスーツ。
【請求項７】
前記止め具（23）（24）が、それぞれベルベット式ファスナー（25）（26）である請求項１〜請求項６いずれかに記載のウエットスーツ。
【請求項８】
前記襟カバー（21）は、ウエットスーツの背面に逆Ｕ字状に縫着して設けられたことを特徴とする請求項１〜請求項７いずれかに記載のウエットスーツ。
【請求項９】
首部分の開口部（10）から脱着するウエットスーツであって、肩部分の生地は左肩外生地（1）、右肩生地（2）、左肩内生地（3）の三つのパーツ生地からなり、左肩外生地（1）と右肩生地（2）とが縫合され、右肩生地（2）と左肩内生地（3）とが縫合されて、これらの三つのパーツ生地を上面視でらせん状に巻き込みながら縫着し、前記肩部分の生地上の襟首部周囲に開口襟（7）を波状又は凸凹状に縫着して開口部（10）を形成し、前記ウエットスーツの背面には、頭部を挿通して開口部（10）を密着する首挿通口（22）を有する襟カバー（21）を逆Ｕ字状に縫着して設け、前記襟カバー（21）の先端にベルベット式ファスナー（25）を設けると共に、ウエットスーツの胸部前面にベルベット式ファスナー（26）を設けて、装着時に前記開口部（10）周囲を前記襟カバー（21）で被冠密着することを特徴とするウエットスーツ。
【考案の詳細な説明】
【技術分野】
【０００１】
本考案は、ウエットスーツへの身体の出し入れを容易にするために、襟首付近に固有の開口部を有するウエットスーツに関する。
具体的にはサーフィン、ウインドサーフィン等マリンスポーツ全般に着用されるノージッパーウエットスーツに関するものである。
【背景技術】
【０００２】
近年のマリンスポーツブームによって、サーフィン、ウインドサーフィン等のマリンスポーツが、広く、また非常に身近な趣味として行われており、マリンスポーツはもはやオールシーズンのスポーツになったと言っても過言ではない。
それに伴ってウエットスーツの改良への要請が高まり、その開発が盛んに行われている。
【０００３】
従来のウエットスーツは、一般に襟口の開口部を切り開いて、これらの切り口にスライドファスナーが縫着されている。
このようにファスナーを設けてウエットスーツ本体を開閉することにより、身体の出し入れを可能にしている。
【特許文献１】特許第３６９２２９７号特許公報
【０００４】
しかしながら、ファスナーを設けてウエットスーツ本体を開閉することに関して言えば、水密性高品質のジッパーになれば価格が高いものとなってくるし、運動性や柔軟性の面ではその付設自体に課題があった。
また、それを踏まえてノージッパーのウエットスーツが考案されているが、防水性や保温性、運動性（動き易さ）、着脱の容易性などの、さらなる向上を図る要望が相次いでいるのが現状である。
【考案の開示】
【考案が解決しようとする課題】
【０００５】
もとより、人間の体型はひとそれぞれいびつであり、やせている人、太っている人、胴長の人、おなかが出ている人、腰周りが極端に太い人等、様々である。
そのような事情にあって、本考案の課題は、どんな体型の人にも脱着が楽にできるような、脱着の容易性を獲得する点にある。
換言すれば、襟首に位置する開口部が脱着の手段となっていることから、体の入出し易い開口部の改良が本考案の第一の課題とも言えるのである。
【０００６】
そして第二には、脱着の容易性と相反する価値である防水性を高める点にある。
ノージッパースーツでは伸縮素材を用いるのが一般的であるが、伸縮素材は、伸長する割合が大きくなるほど、さらに伸長する回数を重ねるにしたがって、素材に塑性変形をきたす（伸びきる）ことがあるため、従来技術は、使用回数を重ねると開口部の収縮力が弱まり、防水性が衰え易いという問題があった。
つまり、伸縮素材を駆使してノージッパーにすることは、防水性の向上と相容れないのが現状であった。
よって、第二の課題は、伸縮素材が塑性変形しにくくなる手段を講じることによって防水性の高さを追求する点にある。
【０００７】
第三には、装着時における運動性（動き易さ）を高める点にある。
これは言うまでもなく、ノージッパーのウエットスーツにおいて体を過度に圧迫をしない構成のウエットスーツを提供するということを意味する。
【０００８】
以上を要約すると本考案の目的は、着脱が容易で且つ防水性が高く、長期間の使用にも塑性変形し難いノージッパーウエットスーツを提案し、襟首を介しての出入りを行う開口部を従来に無い新しい構造に改良する点にある。
【課題を解決するための手段】
【０００９】
前記課題の解決手段として本考案は、ウエットスーツの着脱の際に身体の出し入れがスムーズに行えるようにするために、肩部分の生地の縫着の仕方に工夫を凝らした。
すなわち、開口部（10）は肩部分のインナーパネルとなる生地を上面視でらせん状に巻き込みながら縫着して形成したことを主要な特徴とする。
肩部分の生地とは、ウエットスーツ本体の上部に縫着した肩及び首回りの生地で、着用時には襟カバーで覆われる内襟となるインナーパネルを指す。
この肩部分の生地は、首をらせん状に巻き込みながら立体的に立つ形態で根元辺を縫着している。
このらせん状の構成では、生地がストレッチ性の素材でなくとも、単に孔を形成するのとは異なり、開口縁に該当するらせん生地上縁辺が長いので、開口部（10）を大きく広く開口できる。
【００１０】
前記肩部分の生地は、複数の生地を少なくとも１つ以上のステッチを設けて縫合したものを使用してもよい。
複数の生地に分けることによって、生地が加工しやすくなり、肩部分の曲面にちょうどフィットする形状に仕立てることができるというメリットがある。
【００１１】
脱着時における開口部（10）の自由性・伸縮性をさらに高めるためには、前記肩部分の生地上の襟首部周囲に、波状又は凸凹状の波状襟ステッチ（6）で開口襟（7）を縫着して開口部（10）を形成するとよい。
【００１２】
水の浸入という観点からは、襟首の開口部（10）を介して脱着を行うことから、完全に密着されている他の部位とは異なり、この部位から水が浸入してくる可能性が高い。
そこで、ウエットスーツの背面に頭部を挿通して開口部（10）を密着する首挿通口（22）を有する襟カバー（21）を設け、装着時に前記開口部（10）周囲を前記襟カバー（21）で被冠密着する構造を採用すれば、肩部分の生地がらせん状に巻き込みながら縫着されてなることと相俟って、防水対策としてはより確実なものになる。
又、襟カバー（21）は、ウエットスーツ全体のシルエットを整え、スタイリッシュなデザインを提案できる。
【００１３】
前記襟カバー（21）は、その先端に止め具（23）を設けると共に、ウエットスーツの胸部前面に止め具（24）を設けて、装着時に前記開口部（10）周囲を前記襟カバー（21）で被冠密着させる。
【００１４】
また、前記止め具（23）（24）は、特に限定するものではないが、装着時における運動性（動き易さ）の確保という観点からは前記止め具（23）（24）は、ベルベット式ファスナー（25）（26）にするのが好ましい。
【考案の効果】
【００１５】
本考案の主要な特徴は、肩部分の生地を上面視でらせん状に巻き込みながら縫着して開口部（10）を形成したことであるが、生地をらせん状に巻き込みながら縫着するということがもたらす効果を中心に、以下説明していく。
【００１６】
第一に、開口部（10）のらせん状構造は、水の浸入に対して大変有効である。
着物のように生地の重なり部分が形成されるため、二重の生地に遮られ、スーツ内側までは水が浸水しにくくなっている。
仮に浸水があっても、重なり部分が形成された箇所はおのずと、外生地と内生地との間にわずかな隙間が存在し、その隙間に流れていく水もあることから、スーツ内部への浸水を格段に軽減することができる。
従来のスーツにおいては、装着時における運動性（動き易さ）を追及する趣旨で一重の生地からなるものが多く、浸入してくる水はその首部分を突破するとスーツ内側に浸入してくる。  一重の生地の首回りと、本考案の両者を比較すれば、その効果は明白である。
本考案の肩部分の生地がらせん状である構成は、らせん状の起点については特に問わないが、実施の態様では肩部分の生地が、胸面側が一重で背面側が２重になるらせん状の形態となるらせん状を特に開示している。
水泳などでは背筋部分の運動が激しく背面上方の防水性が必要であるが、背面側を２重にすることで背筋部分の凹む運動でも防水性を維持できる効果がある。
又前側の首回りはすっきりする。
【００１７】
第二に、開口部（10）のらせん状構造は、脱着の容易化を図るのに最適な形状である。
らせん状に縫着することによって、開口部を含む胸面より上の生地は、いわば、筒状に構成されることになる。
脱着時の困難を軽減するためには、開口部（10）はスーツの上下方向に対して垂直平面上で、体を通す径に至るために上下左右自在に開口或いは伸縮することが要請される。
本考案においては、伸縮生地が肩部分においても生地全体として筒状になっているため、無理なく、自然に、肩部分の生地が全体でもってスーツの上下方向に対して垂直平面上で伸張して、開口部（10）はあらゆる体型の大きさの人が脱着可能な大きさを確保する。
このようにらせん状縫着は素材の伸縮する方向を最大限に生かした構造であるとともに、さらには素材の伸縮性がなくても大きく開口できる構成である。
【００１８】
第三に、開口部（10）のらせん状構造は、長期間の使用によっても塑性変形し難いという効果も有している。
従来の肩部分が一重のノージッパースーツでは、開口部周辺の伸縮生地だけが伸張して脱着を行っていたが、本考案は開口部伸縮という役割を、広く肩全体に分散させ、肩部分の生地が全体でもって伸張する。
開口部（10）の伸縮素材は収縮率が小さくてよいので、塑性変形し難く、防水性は長期間の使用によっても衰えない。
ノージッパーウエットスーツ開発の喫緊の課題であった脱着の容易性と防水性を両立させることができるのである。
【００１９】
第四には、一重生地のノージッパースーツにはない、加工裁量の余地が生まれてくる点が挙げられる。
らせん状生地の巻き込み距離を長く取とれば、開口部を広く確保することができる。
また、生地を曲線を描いて裁断することも可能であるため、重なる部分をあらかじめ想定して曲線に沿って開口部（10）がスムーズに伸張するよう製造の段階で開口部に余裕をもたせることもできる。
こうすることで体を過度に圧迫をしない仕上がりにすることも可能である。
また、考案を実施するための最良の形態に示すとおり、肩部分のらせん状インナーパネルとなる生地を加工（縫着）しやすいように複数の生地に分けてもよい。
そして、場合によっては巻き込み回数を増やして二重のみならず、理論上は三重、四重にして浸水防止機能重視のスーツとすることもできる。
このように柔軟に、任意に、目的に応じたウエットスーツのタイプへと変更できるのである。
以上が、肩部分のインナーパネルである生地をらせん状に巻き込みながら縫着するということ（らせん状縫着）がもたらす考案の主な効果である。
【００２０】
上記の構造を採用することにより、ウエットスーツの着脱が容易かつスムーズに行えることはいうまでもないが、一歩すすんで開口襟（7）にも工夫を凝らしている。
従来技術の丸首状スーツでは直線の縫い目（ステッチ）であり、ステッチ自体は伸縮しないので首部分の圧迫があり、着用者が圧迫感を感じることが少なくない。
ここに着目して本考案では、肩部分の生地上の襟首部周囲に、波状又は凸凹状の波状襟ステッチ（6）で開口襟（7）を縫着して開口部（10）を形成するものを提案する。
こうすることで、ステッチ長に余裕ができ、開口襟（7）の距離を多めにとれ、装着時の首部分の圧迫を解消することが可能である。
【００２１】
前記襟カバー（21）は、かぶり襟であって、ウエットスーツの背面に端部一辺を左右が傾斜して下がる形状や逆Ｕ字状のステッチ（27）を描くように縫着して設けている。
スーツ本体と襟カバー（21）との間に水が浸水しても、背面では襟カバー（21）のステッチが左右が傾斜して下がる形状や逆Ｕ字状になっていることから、浸入した水はその傾斜によってスーツ外へ自動的に流れ抜け出る仕組みになっている。
従来のスーツがＵ字ステッチで襟カバーを縫着しており、水がたまる箇所に水抜孔を設けなければならなかったことと比較すると、いたってシンプルで実用性の高い襟カバー（21）付のスーツに改良されている。
逆Ｕ字状のステッチ（27）の意味は、左右両側に湾曲している形状全般を指している。
【考案を実施するための最良の形態】
【００２２】
本考案のウエットスーツについて、添付した図面に示す実施の形態に基づいて説明する。
図１は本考案のらせん状縫着を示したウエットスーツの上面図である。
図中一点鎖線で示したラインが、肩部分の生地をらせん状に縫着していることを示している。
また、図２は異なる実施例でらせん状縫着を行う肩部分の生地が三つのパーツ生地での実施形態であることを示す襟カバー（21）を外した状態でのウエットスーツ胸部の正面図である。
図３は図２の三つの生地が左肩外生地（1）、右肩生地（2）、左肩内生地（3）からなることを示す分解図である。
図４は左肩外生地（1）及び右肩生地（2）の説明図であり、図５は右肩生地（2）及び左肩内生地（3）の説明図であり、図６は左肩外生地（1）及び左肩内生地（3）の説明図である。
図７は上面視での本考案のらせん状縫着を示したウエットスーツの説明図である。
図８は襟カバー（21）の逆Ｕ字状のステッチ（27）を示すウエットスーツ背部の正面図である。
図９は襟カバー（21）を被冠した状態での本考案のウエットスーツの全体を示す正面図である。
【００２３】
本発明に係るウエットスーツは、ネオプレンスポンジの表面及び裏面にジャージを貼着したスーツ生地を使用し、らせん状縫着を行う部分（肩部分）の生地はスーツ本体よりも薄くなっている。
よって、脱着が無理なく行えるし、装着時は動きやすく運動性をも備えている。
防水性の高さと脱着の容易さを考慮すれば、次の実施例1及び２に示すように左肩から背面にかけて生地が重なるという二重構造が最も好ましいと考えられる。
以下実施例１〜３を例にとって本考案について詳しく説明する。
【実施例１】
【００２４】
図１は実施例１を示すウエットスーツの上面図であるが、本考案のウエットスーツは、図１に示すとおり、首部分の開口部（10）から脱着するウエットスーツであって、前記開口部（10）は肩部分の生地を上面視でらせん状に巻き込みながら縫着して形成したウエットスーツである。
肩部分の生地を上面視でらせん状に巻き込みながら縫着して開口部（10）を形成したことを主要な特徴とする。
この実施例１では、図１に示されるように、肩部分の生地は、一枚に生地で、以下の順に巻き込んで開口部（10）を形成している。
まず着用者からみて、胸面側の左胸端から始まって、左肩、背面、右肩、胸面、再び左肩、そして背面右端にまで延在している。
【００２５】
図１では左肩の箇所と背面の箇所が二重になっているので、着物のような二重の重なりになり、背中まで巻き込みが生じている。
重なりによって開口部（10）を形成しているという点が、前期考案の効果で記述したとおり、従来技術である一重のスーツには無いさまざまなメリットを有している。
左肩の箇所と背面の箇所が二重になっているので左前側からの浸水は大きく軽減できる。
前記ウエットスーツの背面には、頭部を挿通して開口部（10）を密着する首挿通口（22）を有する襟カバー（21）を逆Ｕ字状に縫着して設け、装着時に前記開口部（10）周囲を前記襟カバー（21）を設けている。
前記襟カバー（21）の先端に止め具（23）を設けると共に、ウエットスーツの胸部前面に止め具（24）を設けて、装着時に前記開口部（10）周囲を前記襟カバー（21）で被冠する。
前記止め具（23）（24）は、例えば面ファスナーであり、図１ではそれぞれベルベット式ファスナー（25）（26）を設けて接合される。
【実施例２】
【００２６】
図２〜図７は、実施例２として、らせん状縫着を行う部分（肩部分）の生地が三つのパーツを縫着してなる生地での実施形態であることを示すものである。前記肩部分の生地は、２以上の複数のパーツ生地を縫合したものでもよい。
図２は、襟カバー（21）を外した状態でのウエットスーツ胸部の正面図である。
実施例１と同じく首部分の開口部（10）から脱着するウエットスーツであって、肩部分の生地は実施例１とは異なり左肩外生地（1）、右肩生地（2）、左肩内生地（3）の三つのパーツ生地からなり、左肩外生地（1）と右肩生地（2）とが縫合され、右肩生地（2）と左肩内生地（3）とが縫合されて、これらの三つの生地を上面視でらせん状に巻き込みながら縫着している。
前記肩部分の生地上の襟首部周囲に開口襟（7）を波状又は凸凹状にステッチ（6）縫着して開口部（10）を形成している。
波状のステッチ（6）を介して開口襟（7）を繋ぐことで開口襟（7）はあたかもフリル状に立ち波状のステッチ（6）の長さの余裕を持って開口できる。
前記ウエットスーツの背面には、頭部を挿通して開口部（10）を密着する首挿通口（22）を有する襟カバー（21）を逆Ｕ字状に縫着して設けている。
その襟カバー（21）の先端にベルベット式ファスナー（25）を設けると共に、ウエットスーツの胸部前面にベルベット式ファスナー（26）を設けて、装着時に前記開口部（10）周囲を前記襟カバー（21）で被冠密着する。
襟カバー（21）を被冠したのち、襟カバー（21）先端のベルベット式ファスナー（26）を胸部前面で止める仕組みになっている。
以下では、より分かりやすくらせん状縫着について説明するため、図３〜図６にらせん状縫着を行う部分（肩部分）の生地の分解図を示す。
【００２７】
図３は図２の肩部分の生地が左肩外生地（1）、右肩生地（2）、左肩内生地（3）からなることを示す分解図である。
図３に示すように、左肩外生地（1）及び右肩生地（2）は背面ステッチ（4）で縫合され、右肩生地（2）及び左肩内生地（3）は胸面ステッチ（5）で縫合されて、これらの三つのパーツ生地でらせん状縫着を行う部分（肩部分）の生地とし、開口部（10）を形成している。
それぞれの生地どうしの連結具合(接着・縫合)および重なり具合を詳述するため、以下図４〜図６を用いて説明する。
【００２８】
図４は左肩外生地（1）及び右肩生地（2）の説明図である。
左肩外生地（1）は胸部左端から背面にかけて、左肩及び背面を覆うように形成され、背面のどちらかと言えば右肩寄りの箇所で背面ステッチ（4）によって右肩生地（2）と縫合される。
一方、右肩生地（2）は背面ステッチ（4）から始まって右背面、右肩、そして右胸部前面にまでいたり、その端部は次の図５の左肩内生地（3）へと連結する胸面ステッチ（5）となる。
【００２９】
図５は右肩生地（2）及び左肩内生地（3）の説明図である。
図４及び図５における右肩生地（2）は同一のものを表わしている。
左肩内生地（3）は胸面ステッチ（5）から始まって左胸面前面、左肩、そして背面にまでいたり、その端部は左肩外生地（1）及び右肩生地（2）を連結する背面ステッチ（4）の手前まで延在しており、これが内生地縁部（8）となる。
【００３０】
図６は左肩外生地（1）及び左肩内生地（3）の説明図である。
三生地を左肩外生地（1）、右肩生地（2）、左肩内生地（3）の順にらせん状に縫合すると、おのずと、左肩外生地（1）及び左肩内生地（3）は図６に示されるように重なり合う。
【００３１】
以上記述してきた三つのパーツ生地からなる実施例２を上面視すると図７のとおりである。
やはり、図１と同じように胸面側の左胸端から始まって、左肩、背面、右肩、胸面、再び左肩、そして背面右端にまで延在している。左肩の箇所と背面の箇所が二重になっているので、着物のような二重の重なりになり、図面には表示されないが背中まで巻き込みが生じている。
らせん状縫着を行う部分（肩部分）の生地が三つのパーツ生地からなるため、背面ステッチ（4）及び胸面ステッチ（5）が示されているのが図１との違いである。
【実施例３】
【００３２】
次に、特異な襟カバー（21）を備えたウエットスーツを示す実施例８について説明する。実施例３を表す図８は、襟カバー（21）が、ウエットスーツの背部の肩甲骨の下方辺りに逆Ｕ字ステッチ（27）で縫着したものを示すウエットスーツ背部の正面図である。
この実施例の襟カバー（21）は、先端にベルベット式ファスナー（26）が設けられている。
この襟カバー（21）の中ほどに首挿通口（22）が筒状に突出して形成してある。
首挿通口（22）の内周は、通常時（収縮時）において首まわりよりやや小さめで着脱する拡張時（伸長時）においては頭部の外周とほぼ同じである。
脱着時のすべりやすさを考慮して、襟口の縁部分内側（裏側）はジャージが貼着されておらず、ジャージ貼着は表面のみとなっている。
また、襟カバー（21）の生地の厚さとしては、スーツ本体よりは薄いが、らせん状縫着を行う部分（肩部分）の生地よりは厚くなっている。
つまり、スーツ本体に体を入れて襟カバー（21）に頭部を挿通して装着したときに、首回りが他の部位に比較して厚くならないようにしている。
【産業上の利用可能性】
【００３３】
以上述べてきたように、本考案のウエットスーツは装着が容易で防水性に優れ、それでいて機能的である。襟カバー（21）を被冠して襟首部のらせん状縫着が見えなくなるため、デザイン上もすっきりしたものとなっている。
よって、本発明に係るウエットスーツは、画期的なノージッパースーツとして、マリンスポーツ、ウインタースポーツ、モーターバイク用スーツなどに広く利用できるものである。
【図面の簡単な説明】
【００３４】
【図１】本考案のウエットスーツの実施例１を示すもので、らせん状縫着を示したウエットスーツの一部上面図である。
【図２】本考案のウエットスーツの実施例２を示すもので、らせん状縫着を行う部分（肩部分）の生地が三つのパーツ生地での実施形態であることを示す襟カバー（21）を外した状態でのウエットスーツ胸部の正面図である。
【図３】図２の三つの生地が左肩外生地（1）、右肩生地（2）、左肩内生地（3）からなることを示す分解図である。（実施例２）
【図４】同じく左肩外生地（1）及び右肩生地（2）の説明図である。（実施例２）
【図５】同じく右肩生地（2）及び左肩内生地（3）の説明図である。（実施例２）
【図６】同じく左肩外生地（1）及び左肩内生地（3）の説明図である。（実施例２）
【図７】同じく上面視でのらせん状縫着を示したウエットスーツの説明図である。（実施例２）
【図８】本考案のウエットスーツの実施例３を示すもので、襟カバー（21）の逆Ｕ字状のステッチ（27）を示すウエットスーツ背部の正面図である。
【図９】襟カバー（21）を被冠した状態での本考案のウエットスーツの全体を示す正面図である。
【符号の説明】
【００３５】
１      左肩外生地
２      右肩生地
３      左肩内生地
４      背面ステッチ
５      胸面ステッチ
６      波状襟ステッチ
７      開口襟
８      内生地縁部
１０    開口部
２１    襟カバー
２２    首挿通口
２３    止め具（襟カバー）
２４    止め具（胸部前面）
２５    ベルベット式ファスナー（襟カバー）
２６    ベルベット式ファスナー（胸部前面）
２７    逆Ｕ字状のステッチ
【図１】
0003123611.tif 000003
【図２】
0003123611.tif 000004
【図３】
0003123611.tif 000005
【図４】
0003123611.tif 000006
【図５】
0003123611.tif 000007
【図６】
0003123611.tif 000008
【図７】
0003123611.tif 000009
【図８】
0003123611.tif 000010
【図９】
0003123611.tif 000011